(57)【要約】【課題】無色透明なラミネートテープの後端部分に設けられた無色透明なエンドテープ部分上のエンドマークについて、ユーザーによる視認性を確保するテープカセットを提供すること。【解決手段】テープカセットにおいて、無色透明なラミネートテープの後端部分に設けられた無色透明なエンドテープ３３の部分に「エンドマーク」として形成された所謂ゼブラ模様（一定間隔で灰色インクが塗布された帯状領域３３Ａで形成されたゼブラパターン）に関し、エンドテープ３３の部分に貼り付けられる両面粘着テープ５の第１粘着面５Ａの色を「エンドマーク」として形成された所謂ゼブラ模様（一定間隔で灰色インクが塗布された帯状領域３３Ａで形成されたゼブラパターン）の灰色とは異にする。【選択図】図５
2014024263.tif 000002
【特許請求の範囲】
【請求項１】
カセットケースと、前記カセットケースに粘着テープと無色透明のラミネートテープとが収納され、前記粘着テープの粘着面に前記ラミネートテープが貼り付けられた状態で排出され、前記ラミネートテープの後端部分に無色透明のエンドテープ部分が設けられ、前記エンドテープ部分上にエンドマークが形成されたテープカセットにおいて、
前記エンドマークが灰色であり、前記粘着面の側から見た前記粘着テープが灰色とは異なる色であること、を特徴とするテープカセット。
【請求項２】
請求項１に記載するテープカセットであって、
前記カセットケースにはさらにインクリボンが収納され、
前記インクリボンの色が前記エンドマークの色とは異なること、を特徴とするテープカセット。
【請求項３】
請求項１又は２に記載するテープカセットであって、
前記カセットケースの色が前記エンドマークの色とは異なること、を特徴とするテープカセット。
【請求項４】
請求項１乃至３のいずれか一つに記載するテープカセットであって、
前記エンドマークは、無色透明の前記エンドテープ部分上に、一定間隔で灰色に帯状領域が塗布形成されたゼブラパターンであること、を特徴とするテープカセット。
【請求項５】
請求項１乃至４のいずれか一つに記載するテープカセットであって、
前記エンドマークが透明な文字または透明な記号を備えて構成されたこと、を特徴とするテープカセット。
【請求項６】
請求項１乃至５のいずれか一つに記載するテープカセットであって、
前記エンドマークが光の干渉により色調変化すること、を特徴とするテープカセット。
【請求項７】
カセットケースと、前記カセットケースに粘着テープと無色透明のラミネートテープとが収納され、前記粘着テープの粘着面に前記ラミネートテープが貼り付けられた状態で排出され、前記ラミネートテープの後端部分に無色透明のエンドテープ部分が設けられ、前記エンドテープ部分上にエンドマークが形成されたテープカセットにおいて、
前記エンドマークが２色以上からなり、前記２色以上のうち少なくとも１色が前記粘着面の側から見た前記粘着テープの色とは異なること、を特徴とするテープカセット。
【請求項８】
請求項７に記載するテープカセットであって、
前記カセットケースにはさらにインクリボンが収納され、
前記エンドマークの２色以上のうち少なくとも１色が前記インクリボンの色とは異なること、を特徴とするテープカセット。
【請求項９】
請求項７又は８に記載するテープカセットであって、
前記カセットケースの色が前記エンドマークの色とは異なること、を特徴とするテープカセット。
【請求項１０】
請求項７乃至９のいずれか一つに記載するテープカセットであって、
前記エンドマークは、無色透明の前記エンドテープ部分上に、一定間隔で灰色に帯状領域が塗布形成されたゼブラパターンであること、を特徴とするテープカセット。
【請求項１１】
請求項７乃至１０のいずれか一つ記載するテープカセットであって、
前記エンドマークが前記インクリボンの色とは異なる色からなる文字または記号を備えて構成されたこと、を特徴とするテープカセット。
【請求項１２】
請求項７乃至１１のいずれか一つに記載するテープカセットであって、
前記エンドマークの２色以上のうち少なくとも１色が光の干渉により色調変化すること、を特徴とするテープカセット。
【発明の詳細な説明】
【技術分野】
【０００１】
本発明は、後端部分に設けられた無色透明のエンドテープ部分上にエンドマークが形成されている、無色透明のラミネートテープを有したテープカセットに関するものである。
【背景技術】
【０００２】
従来より、無色透明のラミネートテープを有するテープカセットでは、ラミネートテープの後端部分に無色透明のエンドテープ部分が設けられている。エンドテープ部分には、エンドマークが形成されている。エンドマークは、当該テープカセットが装着される印字装置のエンド検出機構の検出対象である。
【０００３】
この点、印字装置のエンド検出機構には、赤外線の発光素子・受光素子を利用した比較的安価な透過型センサーが使用されている（例えば、下記特許文献１（第３頁、第３図、第４図）参照）。
【０００４】
また、無色透明のラミネートテープには、上述したように、その後端部分に設けられたエンドテープ部分上にエンドマークが形成されている。エンドマークは、赤外領域の光を吸収する黒色のインクによる印刷部分で構成される。
【０００５】
そして、ラミネートテープの後端部分に設けられたエンドテープ部分においては、エンドマークを構成する印刷部分では赤外領域の光が吸収されるので、赤外領域の光が透過することはない。
【０００６】
従って、無色透明のラミネートテープの後端部分に設けられた無色透明のエンドテープ部分上のエンドマークが赤外領域の光を透過させない現象を透過型センサーで検出することで、ラミネートテープのエンド検出を行うことができる。
【先行技術文献】
【特許文献】
【０００７】
【特許文献１】特開平９−１０１３７５号公報
【発明の概要】
【発明が解決しようとする課題】
【０００８】
しかしながら、印字装置がエンド検出機構を備えていない機種の場合には、無色透明のラミネートテープのエンド検出は、カセットケースから排出された（ラミネートテープの後端部分に設けられた）エンドテープ部分上のエンドマークをユーザーが視認することにより行われていた。
【０００９】
この点、ラミネートテープの後端部分に設けられたエンドテープ部分がカセットケースから排出される際には、無色透明のエンドテープ部分に粘着テープの粘着面が貼り付けられた状態にある。そのため、無色透明のエンドテープ部分上のエンドマークは、エンドマーク以外の領域である無色透明のエンドテープ部分からユーザーが透視し得る背景色、つまり、粘着テープの粘着面の色を背景色としながら、ユーザーにより視認されていた。
【００１０】
もっとも、無色透明のエンドテープ部分上のエンドマークは、黒色である。
【００１１】
従って、無色透明のエンドテープ部分に貼り付けられる粘着テープの粘着面の色が最も需要が多い白色であれば、黒色のエンドマークは、エンドマーク以外の領域であるエンドテープの無色透明部分からユーザーが透視し得る背景色、つまり、粘着テープの粘着面の白色を背景色としながら、ユーザーにより視認される。すなわち、このケースにおける黒色のエンドマークについては、背景色を白色としており、色の明度の差が大きいので、その視認性は非常に良い。
【００１２】
これに対し、無色透明のエンドテープ部分に貼り付けられる粘着テープの粘着面の色が比較的需要が多い黒色であれば、黒色インクによる印刷部分で構成される黒色のエンドマークは、エンドマーク以外の領域であるエンドテープの無色透明部分からユーザーが透視し得る背景色、つまり、粘着テープの粘着面の黒色を背景色としながら、ユーザーにより視認される。すなわち、このケースにおける黒色のエンドマークについては、背景色をエンドマークと同じ黒色としており、色の明度の差が殆どないので、その視認性が極端に悪くなる。
【００１３】
そこで、本発明は、上述した点を鑑みてなされたものであり、無色透明なラミネートテープの後端部分に設けられた無色透明なエンドテープ部分上のエンドマークについて、ユーザーによる視認性を確保するテープカセットを提供することを課題とする。
【課題を解決するための手段】
【００１４】
この課題を解決するためになされた請求項１に係る発明は、カセットケースと、前記カセットケースに粘着テープと無色透明のラミネートテープとが収納され、前記粘着テープの粘着面に前記ラミネートテープが貼り付けられた状態で排出され、前記ラミネートテープの後端部分に無色透明のエンドテープ部分が設けられ、前記エンドテープ部分上にエンドマークが形成されたテープカセットにおいて、前記エンドマークが灰色であり、前記粘着面の側から見た前記粘着テープが灰色とは異なる色であること、を特徴とする。
【００１５】
また、請求項２に係る発明は、請求項１に記載するテープカセットであって、前記カセットケースにはさらにインクリボンが収納され、前記インクリボンの色が前記エンドマークの色とは異なること、を特徴とする。
【００１６】
また、請求項３に係る発明は、請求項１又は２に記載するテープカセットであって、前記カセットケースの色が前記エンドマークの色とは異なること、を特徴とする。
【００１７】
また、請求項４に係る発明は、請求項１乃至３のいずれか一つに記載するテープカセットであって、前記エンドマークは、無色透明のエンドテープ部分上に、一定間隔で灰色に帯状領域が塗布形成されたゼブラパターンであること、を特徴とする。
【００１８】
また、請求項５に係る発明は、請求項１乃至４のいずれか一つに記載するテープカセットであって、前記エンドマークが透明な文字または透明な記号を備えて構成されたこと、を特徴とする。
【００１９】
また、請求項６に係る発明は、請求項１乃至５のいずれか一つに記載するテープカセットであって、前記エンドマークが光の干渉により色調変化すること、を特徴とする。
【００２０】
また、請求項７に係る発明は、カセットケースと、前記カセットケースに粘着テープと無色透明のラミネートテープとが収納され、前記粘着テープの粘着面に前記ラミネートテープが貼り付けられた状態で排出され、前記ラミネートテープの後端部分に無色透明のエンドテープ部分が設けられ、前記エンドテープ部分上にエンドマークが形成されたテープカセットにおいて、前記エンドマークが２色以上からなり、前記２色以上のうち少なくとも１色が前記粘着面の側から見た前記粘着テープの色とは異なること、を特徴とする。
【００２１】
また、請求項８に係る発明は、請求項７に記載するテープカセットであって、前記カセットケースにはさらにインクリボンが収納され、前記エンドマークの２色以上のうち少なくとも１色が前記インクリボンの色とは異なること、を特徴とする。
【００２２】
また、請求項９に係る発明は、請求項７又は８に記載するテープカセットであって、前記カセットケースの色が前記エンドマークの色とは異なること、を特徴とする。
【００２３】
また、請求項１０に係る発明は、請求項７乃至９のいずれか一つに記載するテープカセットであって、前記エンドマークは、無色透明の前記エンドテープ部分上に、一定間隔で灰色に帯状領域が塗布形成されたゼブラパターンであること、を特徴とする。
【００２４】
また、請求項１１に係る発明は、請求項７乃至１０のいずれか一つに記載するテープカセットであって、前記エンドマークが前記インクリボンの色とは異なる色からなる文字または記号を備えて構成されたこと、を特徴とする。
【００２５】
また、請求項１２に係る発明は、請求項７乃至１１のいずれか一つに記載するテープカセットであって、前記エンドマークの２色以上のうち少なくとも１色が光の干渉により色調変化すること、を特徴とする。
【発明の効果】
【００２６】
すなわち、本発明のテープカセットでは、無色透明なラミネートテープの後端部分に設けられた無色透明なエンドテープ部分上のエンドマークに対するユーザーによる視認性を確保する。
【図面の簡単な説明】
【００２７】
【図１】本発明の実施形態のテープカセットの外観を表した斜視図である。
【図２】同テープカセットの下ケースの構造を表した平面図である。
【図３】同テープカセットに収納されるラミネートテープのテープ側段差部を説明するための説明図である。
【図４】同テープカセットに収納されるラミネートテープのエンドテープを説明するための平面図である。
【図５】同テープカセットに収納されるラミネートテープのエンドテープが両面粘着テープの第１粘着面に貼り付けられた状態を説明するための説明図である。
【図６】同テープカセットに収納されるラミネートテープのエンドテープが両面粘着テープの第１粘着面に貼り付けられた状態を説明するための説明図である。
【図７】同テープカセットに収納されるラミネートテープのエンドテープが両面粘着テープの第１粘着面に貼り付けられた状態を説明するための説明図である。
【発明を実施するための形態】
【００２８】
［１．テープカセットの外観］
図１に表したように、本実施形態のテープカセット１は、下ケース２と上ケース３とを有する。下ケース２と上ケース３は、互いの嵌合により固定されることで、矩形状のカセットケース９を構成する。上ケース３には、透視窓４が設けられる。その透視窓４を介して、小巻された両面粘着テープ５と小巻されたラミネートテープ６とを見ることができる。符号７は、本実施形態のテープカセット１から露出したラミネートテープを示す。ラミネートテープ６，７は、無色透明なラミネートテープである。
【００２９】
［２．下ケースの構造］
図２に表したように、下ケース２には、第１テープ収納部１１、第２テープ収納部１２、第３テープ収納部１３、一対のガイド部材１４、孔部１５、開口部１６、排出口部１７、湾曲延出板１９、及びガイドピン２１，２２，２３，２４が設けられる。
【００３０】
第１テープ収納部１１には、小巻された両面粘着テープ５（上記図１参照）が収納される。第２テープ収納部１２には、小巻されたラミネートテープ６（上記図１参照）が収納される。第３テープ収納部１３には、小巻にされたインクリボン８が収納される。
【００３１】
当該印字装置はエンド検出機構を有し、一対のガイド部材１４の内側に形成された空間部分には、本実施形態のテープカセット１が印字装置に装着された際に、当該印字装置のエンド検出機構が有する、赤外線を利用した透過型センサーの発光素子・受光素子が配置される。尚、印字装置や、赤外線を利用した透過型センサーの発光素子・受光素子は、図示されていない。
【００３２】
［３．ラミネートテープの構造］
図３に表したように、ラミネートテープ６は、ＰＥＴテープである被印字テープ３１、片面接着テープ３２、エンドテープ３３を有する。いずれのテープ３１，３２，３３も無色透明である。
【００３３】
図３（ａ）は分解斜視図である。図３（ｂ）は平面図である。図３（ｃ）は端面図である。ＰＥＴテープである被印字テープ３１は、無色透明なテープである。ＰＥＴテープである被印字テープ３１には、印字面３１Ａと、その印字面３１Ａに対して裏側に相当する裏面３１Ｂとを有する。片面接着テープ３２は、片面側のみに接着剤が塗布されたテープである。エンドテープ３３は、「エンドマーク」として所謂ゼブラ模様を有したテープである。
【００３４】
ラミネートテープ６では、ＰＥＴテープである被印字テープ３１の裏面３１Ｂに対してエンドテープ３３の一部が重ね合わされる。ＰＥＴテープである被印字テープ３１の裏面３１Ｂに対してエンドテープ３３の一部が重ね合わされた箇所３４には、その箇所３４を覆うようにして片面接着テープ３２が貼り合わされる。これにより、ラミネートテープ６には、テープ側段差部３５が形成されている。
【００３５】
尚、ラミネートテープ６は、テープ側段差部３５が形成されていないものであってもよい。つまり、ラミネートテープ６の一部分である後端部分を、所謂ゼブラ模様が「エンドマーク」として形成されたエンドテープ３３の部分として代用してもよい。
【００３６】
［４．エンドテープ］
図４に表したように、エンドテープ３３は、所謂ゼブラ模様が「エンドマーク」として形成されたテープである。所謂ゼブラ模様は、一定間隔で灰色インクが塗布されて帯状領域３３Ａが形成されたゼブラパターンであり、ラミネートテープ６が使い切られたことを示す模様である。灰色インクは、例えば、黒色インクに対して、白色インクが混ぜられたインクが用いられる。白色インクは、赤外線を反射して透過させにくい性質がある。
【００３７】
従って、本実施形態のテープカセット１が印字装置に装着された場合において、エンドテープ３３が一対のガイド部材１４（上記図２参照）間を通過する際は、エンドテープ３３上に「エンドマーク」として形成された所謂ゼブラ模様（一定間隔で塗布形成された灰色インクの帯状領域３３Ａ）が、一対のガイド部材１４（上記図２参照）内に配置された赤外線を利用した透過型センサーによって検出される。
【００３８】
尚、灰色インクは、上述したものに限らず、赤外線を反射又は吸収して透過させにくい性質がある灰色インクであればよい。
【００３９】
また、本実施形態のテープカセット１が印字装置に装着された場合には、上記図２に表したように、テープカセット１の排出口部１７からは、両面粘着テープ５にラミネートテープ６が貼り付けられた状態で排出される。
【００４０】
さらに、ラミネートテープ６の後端側にあるエンドテープ３３についても、図５（ａ）の側面図や図５（ｂ）の平面図に表したように、両面粘着テープ５の第１粘着面５Ａに貼り付けられた状態で、本実施形態のテープカセット１の排出口部１７（上記図２参照）から排出される。
【００４１】
そして、図５（ｂ）に表したように、エンドテープ３３に「エンドマーク」として形成された所謂ゼブラ模様（一定間隔で灰色インクが塗布されて帯状領域３３Ａが形成されたゼブラパターン）を肉眼で識別することができる。
【００４２】
［５．まとめ］
すなわち、本実施の形態のテープカセット１では、無色透明なラミネートテープ６の後端側にある無色透明のエンドテープ３３に対して貼り付けられる両面粘着テープ５の第１粘着面５Ａの色が比較的需要が多い黒色であった場合（上記図５参照）でも、赤外線を反射又は吸収して透過させにくい性質がある灰色インクが塗布されることにより無色透明のエンドテープ３３に「エンドマーク」として形成された所謂ゼブラ模様（一定間隔で灰色インクが塗布された帯状領域３３Ａで形成されたゼブラパターン）は、「エンドマーク」以外の領域であるエンドテープ３３の無色透明部分からユーザーが透視し得る背景色、つまり、両面粘着テープ５の第１粘着面５Ａの黒色を背景色としながら、ユーザーにより視認される（上記図５（ｂ）参照）。すなわち、このケースにおける灰色の「エンドマーク」については、背景色が黒色であるが、色の明度の差を設けることができるので、その視認性は確保される。
【００４３】
尚、図５に表した両面粘着テープ５の第１粘着面５Ａの色については、上述したように黒色であったが、エンドテープ３３の帯状領域３３Ａを塗布形成した灰色インク以外の色であって、灰色に対して明度の差を設けることができる色であれば、エンドテープ３３に「エンドマーク」として形成された所謂ゼブラ模様（一定間隔で灰色インクが塗布された帯状領域３３Ａで形成されたゼブラパターン）を肉眼で識別することができる。
【００４４】
例えば、本実施の形態のテープカセット１では、無色透明なラミネートテープ６の後端側にある無色透明のエンドテープ３３に対して貼り付けられる両面粘着テープ５の第１粘着面５Ａの色が最も需要が多い白色であった場合でも、赤外線を反射又は吸収して透過させにくい性質がある灰色インクが塗布されることによりエンドテープ３３に「エンドマーク」として形成された所謂ゼブラ模様（一定間隔で灰色インクが塗布された帯状領域３３Ａで形成されたゼブラパターン）は、「エンドマーク」以外の領域であるエンドテープ３３の無色透明部分からユーザーが透視し得る背景色、つまり、両面粘着テープ５の第１粘着面５Ａの白色を背景色としながら、ユーザーにより視認される（上記図４に同じ）。すなわち、このケースにおける灰色の「エンドマーク」については、背景色が白色であるが、色の明度の差を設けることができるので、その視認性は確保される。
【００４５】
さらに、本実施の形態のテープカセット１において、無色透明なラミネートテープ６の後端側にある無色透明のエンドテープ３３に「エンドマーク」として形成された所謂ゼブラ模様（一定間隔で灰色インクが塗布された帯状領域３３Ａで形成されたゼブラパターン）は、赤外線を反射又は吸収して透過させにくい性質がある灰色インクが塗布されることにより形成されている。よって、本実施形態のテープカセット１がエンド検出機構を有した印字装置に装着された場合において、エンドテープ３３が一対のガイド部材１４（上記図２参照）間を通過する際は、一対のガイド部材１４（上記図２参照）内に配置された赤外線を利用した透過型センサーによって、エンドテープ３３に「エンドマーク」として形成された所謂ゼブラ模様（一定間隔で塗布形成された灰色インクの帯状領域３３Ａ）が検出される。
【００４６】
以上より、本実施の形態に係るテープカセット１では、無色透明なラミネートテープ６の後端部分に設けられた無色透明なエンドテープ３３の部分に「エンドマーク」として形成された所謂ゼブラ模様（赤外線を反射又は吸収して透過させにくい性質がある灰色インクが一定間隔で塗布された帯状領域３３Ａで形成されたゼブラパターン）に関し、エンドテープ３３の部分に貼り付けられる両面粘着テープ５の第１粘着面５Ａの色が「エンドマーク」として形成された所謂ゼブラ模様の灰色と異なっていれば、本実施形態のテープカセット１が装着される印字装置のエンド検出機構（赤外線を利用した透過型センサー）による「エンドマーク」の検出が確保された上で、ユーザーによる「エンドマーク」の視認性も確保される。
【００４７】
また、本実施の形態に係るテープカセット１には、インクリボン８（上記図２参照）が収納されていることから、インクリボン８（上記図２参照）の色が「エンドマーク」として形成された所謂ゼブラ模様（一定間隔で灰色インクが塗布された帯状領域３３Ａで形成されたゼブラパターン）の灰色と異なれば、本実施形態のテープカセット１が印字装置に装着された場合において、エンドテープ３３に対してインクリボン８（上記図２参照）で印刷が行われたとしても、「エンドマーク」の灰色とインクリボン８（上記図２参照）の印刷色との間で色の明度の差を設けることができるので、ユーザーによる「エンドマーク」の視認性が確保される。
【００４８】
また、本実施の形態に係るテープカセット１において、カセットケース９（上記図１参照）の色が「エンドマーク」の灰色と異なっていれば、「エンドマーク」以外の領域であるエンドテープ３３の無色透明部分からユーザーがカセットケース９（上記図１参照）を透視し得る状態であっても、灰色インクが塗布されることにより無色透明のエンドテープ３３に「エンドマーク」として形成された所謂ゼブラ模様（一定間隔で灰色インクが塗布された帯状領域３３Ａで形成されたゼブラパターン）は、「エンドマーク」以外の領域であるエンドテープ３３の無色透明部分からユーザーが透視し得る背景色、つまり、カセットケース９（上記図１参照）の色を背景色としながら、ユーザーにより視認される。すなわち、このケースにおける灰色の「エンドマーク」については、背景色が灰色と異なる色であることから、色の明度の差を設けることができるので、その視認性は確保される。
【００４９】
また、本実施の形態に係るテープカセット１においては、無色透明なラミネートテープ６の後端側にある無色透明のエンドテープ３３に形成される「エンドマーク」は、所謂ゼブラ模様（一定間隔で灰色インクが塗布された帯状領域３３Ａで形成されたゼブラパターン）であった。しかしながら、エンドテープ３３において、赤外線を反射又は吸収して透過させにくい性質がある灰色インクで文字・記号の輪郭外が塗布されることによって形成される、「透明な文字」または「透明な記号」を「エンドマーク」として扱ってもよい。
【００５０】
また、本実施の形態に係るテープカセット１においては、無色透明なラミネートテープ６の後端側にある無色透明のエンドテープ３３に形成される「エンドマーク」は、赤外線を反射又は吸収して透過させにくい性質がある灰色インクで塗布形成されたものであったが、例えば、所謂ラメ色や玉虫色など、光の干渉により色調変化するもので形成されたものであっても、本実施形態のテープカセット１が装着される印字装置のエンド検出機構（赤外線を利用した透過型センサー）による「エンドマーク」の検出が確保された上で、ユーザーによる「エンドマーク」の視認性も確保される。
【００５１】
［６．その他］
尚、本発明は上記実施形態に限定されるものでなく、その趣旨を逸脱しない範囲で様々な変更が可能である。
【００５２】
例えば、他の実施の形態に係るテープカセット１では、無色透明のエンドテープ３３に形成される「エンドマーク」を以下のようにして形成してもよい。すなわち、図６（ａ）の側面図や図６（ｂ）の平面図に表したように、無色透明のエンドテープ３３上において、一定間隔で黒色インクの帯状領域３３Ｂを塗布形成し、さらに、黒色インクの各帯状領域３３Ｂ上において、当該帯状領域３３Ｂよりも細い白色インクの帯状領域３３Ｃを塗布形成することで、無色透明のエンドテープ３３に「エンドマーク」を所謂ゼブラ模様で形成してもよい。
【００５３】
また、無色透明のエンドテープ３３上において、一定間隔で黒色インクの帯状領域３３Ｂを塗布形成し、さらに、黒色インクの各帯状領域３３Ｂ上において、図６（ｃ）の平面図に表したように、白色インクで「ＥＮＤ」の文字（又は他の記号）を塗布形成することで、エンドテープ３３に「エンドマーク」を形成してもよい。
【００５４】
但し、「エンドマーク」を形成したインクの２色のうち少なくとも１色が両面粘着テープ５の第１粘着面５Ａの色とは異なることを要する。例えば、図６の場合において、両面粘着テープ５の第１粘着面５Ａの色を、「エンドマーク」を形成したインクの２色のうちの１色の白色で同じにしても、「エンドマーク」を形成したインクの２色のうちの残りの１色が両面粘着テープ５の第１粘着面５Ａの色とは異なる黒色なので、両面粘着テープ５の第１粘着面５Ａに無色透明のエンドテープ３３が貼り付けられた状態であっても、黒色インクの帯状領域３３Ｂ（図６（ｂ）（ｃ）参照）や白色インクの「ＥＮＤ」の文字（図６（ｃ）参照）又は他の記号をユーザーが「エンドマーク」として視認できる。さらに、黒色インクは赤外線を吸収し、白色インクは赤外線を反射し、共に赤外線を透過させにくい性質がある。以上より、他の実施形態のテープカセット１では、印字装置のエンド検出機構（赤外線を利用した透過型センサー）による「エンドマーク」の検出が確保された上で、ユーザーによる「エンドマーク」の視認性も確保される。
【００５５】
また、他の実施の形態に係るテープカセット１では、無色透明のエンドテープ３３に形成される「エンドマーク」を以下のようにして形成してもよい。すなわち、図７（ａ）（ｂ）の平面図に表したように、無色透明のエンドテープ３３上において、一定間隔で黒色インクの帯状領域３３Ｂを塗布形成し、さらに、黒色インクの各帯状領域３３Ｂの内外において、エンドテープ３３の長尺方向に数ラインの白色インクの帯状領域３３Ｃを塗布形成することで、エンドテープ３３に「エンドマーク」を形成してもよい。
【００５６】
但し、上記図６の場合と同様にして、「エンドマーク」を形成したインクの２色のうち少なくとも１色が両面粘着テープ５の第１粘着面５Ａの色とは異なることを要する。例えば、図７の場合において、両面粘着テープ５の第１粘着面５Ａの色を、「エンドマーク」を形成したインクの２色のうちの１色の白色で同じにしても、「エンドマーク」を形成したインクの２色のうちの残りの１色が両面粘着テープ５の第１粘着面５Ａの色とは異なる黒色なので、両面粘着テープ５の第１粘着面５Ａに無色透明のエンドテープ３３が貼り付けられた状態であっても、黒色インクの帯状領域３３Ｂ（図７（ａ）（ｂ）参照）をユーザーが「エンドマーク」として視認できる。さらに、黒色インクは、赤外線を吸収して透過させにくい性質がある。以上より、他の実施形態のテープカセット１では、印字装置のエンド検出機構（赤外線を利用した透過型センサー）による「エンドマーク」の検出が確保された上で、ユーザーによる「エンドマーク」の視認性も確保される。
【００５７】
さらに、図７（ｂ）のような場合には、他の実施の形態に係るテープカセット１の排出口部１７から、両面粘着テープ５に無色透明のエンドテープ３３が貼り付けられた状態で少しでも排出されれば、エンドテープ３３の長尺方向に塗布形成された数ラインの白色インクの帯状領域３３Ｃを視認できるので、ユーザーによる「エンドマーク」の視認性の確保が向上される。さらに、黒色インクは赤外線を吸収し、白色インクは赤外線を反射して、共に赤外線を透過させにくい性質がある。以上より、他の実施形態のテープカセット１では、印字装置のエンド検出機構（赤外線を利用した透過型センサー）による「エンドマーク」の検出が確保された上で、ユーザーによる「エンドマーク」の視認性も確保される。
【００５８】
尚、「エンドマーク」を形成するインクの色数は３つ以上であってもよい。但し、このような場合でも、「エンドマーク」を形成したインクの３色以上のうち少なくとも１色が両面粘着テープ５の第１粘着面５Ａの色とは異なることを要する。
【００５９】
また、他の実施の形態に係るテープカセット１では、「エンドマーク」を形成したインクの２色以上のうちの１色がインクリボン８（上記図２参照）の色とは異なることを要する。なぜなら、他の実施形態のテープカセット１が印字装置に装着された場合において、エンドテープ３３に対してインクリボン８（上記図２参照）で印刷が行われたとしても、インクリボン８（上記図２参照）の印刷色と「エンドマーク」の当該印刷色とは異なる色との間で色の明度の差を設けることができるので、ユーザーによる「エンドマーク」の視認性が確保される。
【００６０】
また、他の実施の形態に係るテープカセット１において、カセットケース９（上記図１参照）の色が「エンドマーク」の色と異なっていれば、「エンドマーク」以外の領域であるエンドテープ３３の無色透明部分からユーザーがカセットケース９（上記図１参照）を透視し得る状態であっても、エンドテープ３３に形成された「エンドマーク」は、「エンドマーク」以外の領域であるエンドテープ３３の無色透明部分からユーザーが透視し得る背景色、つまり、「エンドマーク」とは異なる色であってカセットケース９（上記図１参照）の色を背景色としながら、ユーザーにより視認される。すなわち、このケースにおける「エンドマーク」については、背景色が異なる色であることから、色の明度の差を設けることができるので、その視認性は確保される。
【００６１】
また、他の実施の形態に係るテープカセット１において、無色透明のエンドテープ３３に「エンドマーク」を形成する２色以上のうち少なくとも１色は、例えば、所謂ラメ色や玉虫色など、光の干渉により色調変化するもので形成されたものであっても、他の実施形態のテープカセット１が装着される印字装置のエンド検出機構（赤外線を利用した透過型センサー）による「エンドマーク」の検出が確保された上で、ユーザーによる「エンドマーク」の視認性も確保される。
【００６２】
また、印字装置は必ずしもエンド検出機構を有している必要はない。
【００６３】
また、ラミネートテープ６やエンドテープ３３は無色透明ということであるが、マット処理が行われて多少曇っていても良い。
【符号の説明】
【００６４】
１    テープカセット
５    両面粘着テープ（粘着テープ）
５Ａ  両面粘着テープ（粘着テープ）の粘着面（第１粘着面）
６，７    ラミネートテープ  
８    インクリボン
９    カセットケース
３３    エンドテープ
３３Ａ  エンドテープの帯状領域
【図１】
2014024263.tif 000003
【図２】
2014024263.tif 000004
【図３】
2014024263.tif 000005
【図４】
2014024263.tif 000006
【図５】
2014024263.tif 000007
【図６】
2014024263.tif 000008
【図７】
2014024263.tif 000009